(57)【特許請求の範囲】
【請求項１】
シーケンシャルアクセスする複数の媒体の使用状況を管理する使用状況管理装置において、
データをシーケンシャルにアクセスする媒体と、
上記複数の媒体をアクセスしたボリューム通番を含む管理情報をそれぞれ記憶するランダムアクセス可能な記憶手段と、
上記複数の媒体のうちのいずれかのアクセス要求があると、当該アクセス要求に対応するシーケンシャルアクセスを該当媒体に行うと共に、シーケンシャルアクセス時の管理情報で上記記憶手段に記憶されている当該媒体の管理情報を更新する手段と、
画面上から、上記複数の媒体に関する現在の使用率あるいはその範囲、または、最大使用率あるいはその範囲のいずれかを指定した検索要求が入力されると、上記記憶手段に記憶されている管理情報をもとに、ボリューム毎に設定されている利用者のセキュリティレベルを参照して、検索要求した利用者が許可されている該当ボリューム番号を抽出する手段と、
上記抽出したボリューム番号のリストおよび使用率の場合には該当使用率を算出してその結果を併せて出力する手段と
を備えたことを特徴とする使用状況管理装置。
【請求項２】
上記リスト中に、過去の最大使用時間を越えたときに表示するアラーム表示１、および指定した媒体使用率を超えたときに表示するアラーム表示２のうちの１つ以上を設け、設けたアラーム表示１、アラーム表示２に該当するときにマークを表示あるいは強調表示することを特徴とする請求項１記載の使用状況管理装置。
【請求項３】
データをシーケンシャル媒体にアクセスする手段と、
上記複数の媒体をアクセスしたボリューム通番を含む管理情報をそれぞれ記憶するランダムアクセス可能な記憶手段に記憶する手段と、
上記複数の媒体のうちのいずれかのアクセス要求があると、当該アクセス要求に対応するシーケンシャルアクセスを該当媒体に行うと共に、シーケンシャルアクセス時の管理情報で上記記憶手段に記憶されている当該媒体の管理情報を更新する手段と、
画面上から、上記複数の媒体に関する現在の使用率あるいはその範囲、または、最大使用率あるいはその範囲のいずれかを指定した検索要求が入力されると、上記記憶手段に記憶されている管理情報をもとに、ボリューム毎に設定されている利用者のセキュリティレベルを参照して、検索要求した利用者が許可されている該当ボリューム番号を抽出する手段と、
上記抽出したボリューム番号のリストおよび使用率の場合には該当使用率を算出してその結果を併せて出力する手段と
して機能させるプログラムを記録したコンピュータ読取可能な記録媒体。
【発明の詳細な説明】
【０００１】
【発明の属する技術分野】
本発明は、シーケンシャルアクセスする媒体の使用状況を管理する使用状況管理装置および記録媒体に関するものである。
【０００２】
【従来の技術】
従来、シーケンシャルアクセスする媒体、例えば磁気テープの使用状況を把握するためには、実際に磁気テープに記録されているデータを順次読み込み、ＥＯＶなどのデータ終端を表すデータがあったときに、そこまでを使用中とし、使用状況（例えば全体の８０％を既に使用済で２０％分の空きがあるなどの使用状況）を表示して認識したりするようにしていた。
【０００３】
【発明が解決しようとする課題】
このため、シーケンシャル媒体では先頭からデータを順に読みＥＯＶがある場所を見つける必要があり、多くの時間を要しないと媒体の使用状況を把握できないという問題があった。このため、紙に磁気テープ毎の使用状況を管理者が記載して管理する必要があり、面倒であると共に紙の台帳への記入ミスが発生し易いという問題があった。
【０００４】
本発明は、これらの問題を解決するため、シーケンシャルアクセス媒体にアクセスしたときに使用状況を表すデータを管理ファイルにしてランダムアクセス媒体に記憶して管理し、所定使用率が所定値を越えたか監視して越えた時にアラーム表示などすると共に、媒体の使用状況、使用率などを要求に応じて迅速に出力し、シーケンシャル媒体の使用効率、運用効率を向上および格納に必要なシーケンシャル媒体の効率的な準備などを実現することを目的としている。
【０００５】
【課題を解決するための手段】
図１を参照して課題を解決するための手段を説明する。
図１において、処理装置１は、各種処理を行うものであって、ここでは、使用状況管理手段２などから構成されるものである。
【０００６】
使用状況管理手段２は、シーケンシャルアクセス媒体の使用状況などを管理するものである。
管理ファイル３は、ランダムアクセス可能な記憶装置に、管理情報を格納したものである。
【０００７】
媒体６は、シーケンシャルアクセスする媒体である。
表示装置８は、画面を表示するものである。
次に、動作を説明する。
【０００８】
使用状況管理手段２が  媒体６のアクセス要求があると、アクセス要求に対応するシーケンシャルアクセスを媒体６に行うと共に、シーケンシャルアクセス時の管理情報で管理ファイル３を更新し、媒体６の使用状況の要求があると管理ファイル３から管理情報を読み出して要求元に通知するようにしている。
【０００９】
この際、媒体６のアクセス要求時に、管理ファイル３に記憶されている管理情報をもとに使用領域の割合が所定値を越えたときにその旨をアクセス要求元に通知、管理者に通知あるいは出力ファイルに出力するようにしている。
【００１０】
また、使用状況の要求があったときに、管理ファイル３に記憶されている管理情報をもとに、セキュリティレベルに応じた使用状況一覧を作成して要求元に出力するようにしている。
【００１１】
また、検索要求あるいは使用率算出要求があったときに、管理ファイル３に記憶されている管理情報をもとに、セキュリティレベルに応じて、検索を行ってその検索結果あるいは使用率を算出してその結果を要求元に出力するようにしている。
【００１２】
従って、シーケンシャルアクセスする媒体６にアクセスしたときに使用状況を表すデータを管理ファイル３にしてランダムアクセス媒体に記憶して管理し、所定使用率が所定値を越えたか監視して越えた時にアラーム表示などすると共に、媒体６の使用状況、使用率などを要求に応じて迅速に出力することにより、シーケンシャル媒体６の使用効率、運用効率を向上および格納に必要なシーケンシャル媒体６の効率的な準備などを実現することが可能となる。
【００１３】
【実施例】
次に、図１から図１２を用いて本発明の実施の形態および動作を順次詳細に説明する。
【００１４】
図１は、本発明のシステム構成図を示す。
図１において、処理装置１は、プログラムを主記憶にローディングして当該プログラムに従い各種処理を行うものであって、ここでは、使用状況管理手段２などから構成されるものである。
【００１５】
使用状況管理手段２は、シーケンシャルアクセス媒体６の使用状況などを収集して、ランダムアクセス可能な記憶装置中に管理ファイル３として格納して管理したりなどするものである（図２および図３、図１２を用いて後述する）。
【００１６】
管理ファイル３は、ランダムアクセス可能な記憶装置に、媒体６の使用状況に関する管理情報を格納したものである。
出力ファイル４は、使用状況などを管理者に知らせるために格納したりするものである。
【００１７】
シーケンシャルアクセス装置５は、シーケンシャルに媒体６をアクセスするものであって、例えば磁気テープ装置などである。
媒体６は、シーケンシャルアクセスする媒体であって、例えば磁気テープなどである。
【００１８】
表示装置８は、画面を表示するものである。
入力装置９は、各種入力装置であって、マウスやキーボードなどの入力装置である。
【００１９】
次に、図２および図３のフローチャートの順番に図１の構成の動作を詳細に説明する。ここで、使用状況管理手段２は図１の使用状況管理手段２に相当し、ハードディスクは図１の管理ファイル３を記憶させるランダムアクセス可能な記憶手段に相当し、シーケンシャルアクセス装置５は図１のシーケンシャルアクセス可能な媒体６をアクセスする装置に相当する。
【００２０】
図２および図３は、本発明の動作説明フローチャートを示す。
図２において、Ｓ１は、管理情報を収集する。これは、管理手段２が管理情報の要求を、シーケンシャルアクセス装置５に通知する。
【００２１】
Ｓ２は、情報を返す。
Ｓ３は、管理ファイルを作成する。
Ｓ４は、書き込みを行う。これは、使用状況管理手段２が、Ｓ１からＳ３によって、媒体６の使用状況に関する管理情報を収集して管理ファイルを作成し、この作成した管理ファイルをハードディスクに書き込み要求を行う。
【００２２】
Ｓ５は、Ｓ４の書き込み要求に対応して、管理ファイルをハードディスクに作成する。これにより、シーケンシャル媒体６に書き込んだ管理情報が、ランダムアクセス可能なハードディスクに管理ファイルとして書き込んで記憶する。
【００２３】
Ｓ６は、ＭＴへのアクセス要求が有るか判別する。ＹＥＳの場合には、Ｓ７に進む。ＮＯの場合には、Ｓ６で待機する。
Ｓ７は、ＭＴへアクセス要求を発行する。これは、Ｓ６のＹＥＳによって、図示外のアプリからＭＴ（シーケンシャルアクセス可能な磁気テープ）へのアクセス要求を、シーケンシャルアクセス装置５に発行する。
【００２４】
Ｓ８は、Ｓ７のアクセス要求に対応して、シーケンシャルアクセス媒体をアクセスする（ライトのときはデータを磁気テープに書き込み、リードのときは磁気テープから読み出したデータをアクセス要求元に返信する）。
【００２５】
Ｓ９は、応答を返す。
Ｓ１０は、Ｓ９の応答を受信した使用状況管理手段２が、アクセス要求元へ応答を通知する。
【００２６】
Ｓ１１は、管理ファイルの更新指示を通知する。
Ｓ１２は、Ｓ１１で通知を受けたハードディスクが管理ファイルを更新する。Ｓ１３は、Ｓ１２の更新の結果、領域が超過したか判別する。これは、シーケンシャルアクセス媒体６をアクセスした結果、領域が超過したか判別、例えば磁気テープの使用率が６０％を越えたか判別する。ＹＥＳの場合には磁気テープの使用率が所定値（例えば６０％）を越えたと判明したので、Ｓ１４で領域が所定値を超過した旨をアクセス要求元に通知する。そして、Ｓ１５に進む。一方、Ｓ１３のＮＯの場合には、Ｓ１５に進む。
【００２７】
Ｓ１５は、運用管理者用に出力する。これは、例えば後述する図８の（ｃ）の画面に表示したＭＴ使用状況管理画面に出力するための運用管理者用の管理情報を出力する。
【００２８】
図３のＳ１６は、管理情報の要求有りか判別する。ＹＥＳの場合には、Ｓ１７に進む。ＮＯの場合には、Ｓ１６で待機する。
Ｓ１７は、利用者レベルの判定を行う。これは、利用者（例えばシステム運用者、プロジェクト関係者、作成者（個人））のレベルの判定を行う。
【００２９】
Ｓ１８は、セキュリティレベルの判定を行う。セキュリティレベルの説明は、図７を用いて後述する。
Ｓ１９は、検索要求を発行する。
【００３０】
Ｓ２０は、Ｓ１９の検索要求に対応して、管理ファイル３を検索して該当する情報を返す。
Ｓ２１は、セキュリティレベルに応じた情報の抽出を行う。これは、Ｓ１８で判定した後述する図７でボリューム通番毎に設定されているセキュリティレベルについて、Ｓ１７で判定した利用者レベルで決まるレベルに応じた情報の抽出を行う（図７を用いて後述する）。
【００３１】
Ｓ２２は、使用状況の要求か判別する。ＹＥＳの場合には、Ｓ２３で一覧を出力する（例えば後述する図９の▲３▼のように出力する）。そして、Ｓ２４に進む。一方、ＮＯの場合には、Ｓ２４に進む。
【００３２】
Ｓ２４は、検索要求が有りか判別する。ＹＥＳの場合には、Ｓ２５で検索結果を出力する（例えば後述する図１０の▲５▼のように出力する）。そして、Ｓ２６に進む。一方、ＮＯの場合には、Ｓ２６に進む。
【００３３】
Ｓ２６は、使用率の算出要求が有りか判別する。ＹＥＳの場合には、Ｓ２７で使用率を算出して出力する（例えば後述する図１１の▲６▼のように出力する）。そして、終了する。ＮＯの場合には、終了する。
【００３４】
以上によって、媒体６へのアクセス要求があると、媒体６にアクセスしてその管理情報について、ハードディスク上の管理ファイル３を更新して保存すると共に、領域が所定値を越えたときはシーケンシャル媒体の領域が所定値を越えた旨をアクセス要求元に通知する。そして、シーケンシャル媒体６の使用状況の管理情報の要求があると、利用者レベル、セキュリティレベルをそれぞれ判定し、ハードディスク上の管理ファイル３から該当する使用状況に関する管理情報を抽出し、この中からセキュリティレベルに適合した一覧を抽出して使用状況一覧（図９の▲３▼）を要求元に通知したり、検索要求の結果（例えば図１０の▲５▼）を要求元に通知したり、使用率（例えば図１１の▲６▼）を要求元に通知したりすることが可能となる。これらにより、シーケンシャル媒体６の使用効率、運用効率を向上および格納に必要なシーケンシャル媒体６の効率的な準備などを実現することが可能となる。
【００３５】
図４は、本発明の説明図（管理情報）を示す。
図４の（ａ）は、初期化時の管理情報の例を示す。ここで、下段のＪＣＬ（ＭＩＮＴコマンド）中の
▲１▼ＳＥＴＵＰ文  （０００００３、００００１３）
▲２▼ＵＮＩＴ文    ＴＡＰＥ＝３
によって、磁気テープの初期化を行い、このときの情報（管理情報）が初期化時には収集されて、既述した管理ファイル３に記憶される。尚、▲１▼ＳＥＴＵＰ文および▲２▼ＵＮＩＴ文の各パラメータは、矢印で示す情報がそれぞれ設定される。ここで、上段のボリューム通番、保管番号、テープ種別などは、図示しないテーブルなどでシステムが保管・管理している。
【００３６】
図４の（ｂ）は、更新時の管理情報の例を示す。ＭＴラベルには、図示のように、
・ボリュームラベルＶＯＬ１
・見出しラベルＨＤＲ１／ＨＤＲ２
・・・
・終わりラベルＥＯＦ１／ＥＯＦ２
というように記録されており、これらから矢印で関連づけた下段に示す情報（管理情報）が収集され、管理ファイル３に記録されることとなる。
【００３７】
・ボリューム通番：
・テープ属性：
・モード（ＣＭＴのみ）：
・業務：
・使用年月日：
以上のようにして収集した管理情報を、既述した図１の管理ファイル３に格納して管理することが可能となる。
【００３８】
図５は、本発明の説明図（アクセス要求）を示す。
図５の（ａ）は、ＭＴアクセス要求の例を示す。これは、既述した図２のＳ７で、使用状況管理手段２がシーケンシャルアクセス装置５に発行するアクセス要求を模式的に示したものであって、図示の下記の情報を設定したコマンドである。
【００３９】
0004094160.tif 000002
図５の（ｂ）は、応答の例を示す。これは、既述した図２のＳ９で、シーケンシャルアクセス装置５が使用状況管理手段２に向けて送出する応答の例を模式的に示したものであって、図示の下記の情報を設定した応答である。
【００４０】
0004094160.tif 000003
るいは異常
以上によって、使用状況管理手段２はシーケンシャルアクセス装置５にＭＴアクセス要求を通知してアクセスし、その応答を返すことで、アクセスすることが可能となる。
【００４１】
図６は、本発明の説明図（表示例）を示す。
図６の（ａ）は、運用管理者用端末の画面に表示した例を示す。ここでは、図示の下記の管理情報を一覧にして見やすくしたものであって、運用管理者に許可（図７のセキュリティレベルで許可）された管理情報の一覧である。
【００４２】
・ボリューム通番：
・保管番号      ：
・テープ属性    ：
・セキュリティレベル：
・モード        ：
・業務          ：
・使用年月日（過去最大使用時）：
・使用率（％）（過去最大使用時）：
・使用年月日（現在使用時）：
・使用率（％）（現在使用時）：
・アラーム表示：
0004094160.tif 000004
以上のように、運用管理者用端末には、運用管理者にセキュリティレベルで許可された管理情報の一覧が、図示のように表示されることとなる。
【００４３】
図６の（ｂ）は、プロジェクト関係者用端末の画面に表示した例を示す。ここでは、図示の同様の管理情報を一覧にして見やすくしたものであって、プロジェクト関係者に許可（図７のセキュリティレベルで許可）された管理情報の一覧である。
【００４４】
図７は、本発明の説明図（セキュリティレベル）を示す。
図７の（ａ）は、セキュリティレベルとファイルの入出力の説明図を示す。ここで、管理情報のエントリ中の「セキュリティレベル」のＲＲＷは、
・先頭がシステム運用者のセキュリティレベル（ここでは、Ｒで読み込み可能）
・２番目がプロジェクト関係者のセキュリティレベル（ここでは、Ｒで読み込み可能）
・３番目が作成者のセキュリティレベル（ここでは、Ｗで読み込み／書き込み可能）
である。これらの関係を分かり易くテーブルにしたものを図７の（ｂ）に示す。
【００４５】
図７の（ｂ）は、セキュリティレベルのＲＲＷなどを分かり易くしたテーブルを示す。横軸はセキュリティレベルの３桁（例えばＲＲＷ）の左から１桁目の情報（例えばＲ）、２桁目の情報（例えばＲ）、３桁目の情報（例えばＷ）を表す。縦軸は上から順に、
・システム運用者：
・プロジェクト関係者：
・作成者：
を表す。そして、図中のＷ／Ｒ／Ｎと記載したうちのいずれかのセキュリティレベルで許可される。例えば図７の（ａ）のセキュリティレベルＲＲＷは、
・１桁目のＲは、システム運用者が読み込み可能（Ｒ）であり、
・２桁目のＲは、プロジェクト関係者が読み込み可能（Ｒ）であり、
・３桁目のＷは、作成者が読み込み／書き込み可能（Ｗ）である
旨を表す。
【００４６】
以上のように、ボリューム通番のエントリ中にセキュリティレベルを登録することで、システム運用者、プロジェクト関係者、作成者のいずれが、管理情報の使用状況の一覧などを要求したかによって許可された管理情報エントリの一覧をそれぞれ作成して表示させることが可能となる。
【００４７】
次に、図８から図１１を参照して各種画面の例について詳細に説明する。
図８の（ａ）は、メニュー画面の例を示す。これは、メニュー画面の例であって、図示の下記の画面を選択（右側ほど階層が深くなって順次選択）するメニュー画面の例を示す。
【００４８】
・使用状況管理画面：
0004094160.tif 000005
図８の（ｂ）は、登録情報一覧画面（初期画面）の例を示す。図中の画面を表示し、下段の矩形で囲んだ
0004094160.tif 000006
からここでは、「ボリューム通番（昇順）」を選択すると、図８の（ｃ）に示すように、ボリューム通番が昇順にソートされて図示のように管理情報が検索されて一覧表示されることとなる。
【００４９】
図８の（ｃ）は、登録情報一覧画面の例を示す。ここでは、図８の（ｂ）の画面でボリューム通番（昇順）を選択して検索（セキュリティレベルに応じて該当する管理情報エントリを抽出）し、ボリューム通番を昇順にソートして表示した一覧の画面である。この一覧画面中の右端のアラームは、既述した図６の表示１（過去最大使用時間近）、表示２（媒体使用率が６０％以上）のときに＊を表示してアラーム（警告）を発生するようにしている。
【００５０】
図９の（ｄ）は、ＭＴ使用状況管理の登録情報一覧画面の例を示す。この画面上で、ボリューム通番ＦＬ００００１１を選択すると、図９の（ｅ）の▲３▼の障害画面が表示される。
【００５１】
図９の（ｅ）は、▲３▼詳細画面の例を示す。これは、図９の（ｄ）でボリューム通番ＨＬ００００１１を選択して詳細画面の表示を行った時のものであって、各種管理情報と、アラーム（既述した表示１、表示２と同一）を表示する。
【００５２】
以上の図９の（ｄ）と（ｅ）により、登録情報一覧から１つを選択して詳細情報およびアラームを表示することが可能となる。
図１０の（ｆ）は、▲４▼検索画面の例を示す。この使用状況管理の検索画面は、図示の下記の検索条件を指定する画面である。
【００５３】
・ボリューム通番：
・保管番号：
・最大使用率（？？％以上、？？％以下）：
・現在使用率（？？％以上、？？％以下）：
・アラーム：
・最終使用日：
・その他：
以上の検索条件のうち、最大使用率８０％以上／１００％以下を指定して検索すると、下段の図１０の（ｇ）に示すような検索情報一覧画面が得られる。
【００５４】
図１０の（ｇ）は、▲５▼検索情報一覧画面の例を示す。これは、図１０の（ｆ）の使用状況管理の検索画面上で、最大使用率８０％以上、１００％以下を指定して検索したときの一覧画面であって、ここでは、図示の下記の情報の一覧が表示される。
【００５５】
・ボリューム通番：
・保管番号：
・テープ属性：
・過去最大使用率：
0004094160.tif 000007
・現在使用率：
0004094160.tif 000008
・アラーム：
0004094160.tif 000009
以上のように、検索画面上で検索条件を指定することで、既述した利用者レベルに対応したセキュリティレベルのうちから検索条件に該当する一覧情報（ボリューム通番とその使用詳細情報）を表示することが可能となる。
【００５６】
図１１の（ｈ）は、▲６▼使用率算出画面の例を示す。この使用率算出画面は、図示の下記の使用率を算出するために必要な情報を入力（指定）する画面である。
・媒体情報入力
0004094160.tif 000010
・データ情報入力：
0004094160.tif 000011
以上のように入力して算出指示ボタンを押下すると、図１１の（ｉ）に示すように使用率（利用率）などが計算されて表示されることとなる。
【００５７】
図１１の（ｉ）は、使用率算出画面（結果）を示す。ここでは、使用率の算出結果として、下段に図示の下記の情報を表示する。
・データ件数：２８，０００件
・使用率：７０％
・格納可能最大数：４００，０００件
以上のように、使用率算出画面上で使用率算出の情報を入力（指定）することで、既述した利用者レベルに対応したセキュリティレベルのうちから使用率算出入力をもとに使用率を自動算出してその使用率を表示することが可能となる（図１２の使用率算出フローチャート参照）。
【００５８】
図１２は、本発明の動作説明フローチャート（使用率算出）を示す。これは、媒体の使用率を自動算出するときの手順を示す。
図１２において、Ｓ３１は、当該テープに格納可能か判別する。可能な場合には、Ｓ３２に進む。不可の場合には、Ｓ５１で当該テープに格納不可と判断し、Ｓ５２で別のテープを準備し、Ｓ３１を繰り返す。
【００５９】
Ｓ３２は、管理ファイルのボリューム通番中のテープ長、記録密度を取得する。
Ｓ３３は、テープ長がＦＵＬＬ，ＨＡＬＦ，ＱＵＡＲＴＥＲのいずれか判別する。
【００６０】
Ｓ３４は、テープ長がＦＵＬＬと判明したので、２４００をテープ長として設定する。そして、Ｓ３７に進む。
Ｓ３５は、テープ長がＨＡＬＦと判明したので、１２００をテープ長として設定する。そして、Ｓ３７に進む。
【００６１】
Ｓ３６は、テープ長がＱＵＡＲＴＥＲと判明したので、６００をテープ長としてと設定する。そして、Ｓ３７に進む。
Ｓ３７は、記録密度が６２５０，１６００，８００のいずれか判別する。
【００６２】
Ｓ３８は、記録密度が６２５０と判明したので、６２５０を記録密度として設定する。そして、Ｓ４１に進む。
Ｓ３９は、記録密度が１６００と判明したので、１６００を記録密度として設定する。そして、Ｓ４１に進む。
【００６３】
Ｓ４０は、記録密度が８００と判明したので、８００を記録密度として設定する。そして、Ｓ４１に進む。
Ｓ４１は、順アクセス装置のＩＢＧを取得する。
【００６４】
Ｓ４２は、ＲＬ，ＢＦ，データ件数を取得する。ここで、ＲＬはレコード長、ＢＦはブロッキングファクタ、データ件数はプログラムのデータ書き込み件数である。
【００６５】
Ｓ４３は、図示の計算式に代入して使用率を算出する。ここで、左辺の全体使用率は現在書き込みを行う前の全体の使用率であり、左辺の右側の式は現在書き込みを行ったことによる増分の使用率であり、右辺の全体使用率は現在の書き込みを行った後の全体の使用率である。
【００６６】
Ｓ４４は、他のファイル有りか判別する。有りの場合には、Ｓ４２に戻り繰り返す。無しの場合には、Ｓ４５でＳ４３で自動計算した全体使用率を管理ファイルに再書き込みして終了する。
【００６７】
以上のように、磁気テープにデータを書き込むときに、その使用率を算出して管理ファイルの使用率を自動更新することが可能となる。
【００６８】
【発明の効果】
以上説明したように、本発明によれば、シーケンシャルアクセスする媒体６にアクセスしたときに使用状況を表すデータを管理ファイル３にしてランダムアクセス媒体に記憶して管理し、所定使用率が所定値を越えたか監視して越えた時にアラーム表示すると共に、媒体６の使用状況、使用率などを要求に応じて迅速に出力する構成を採用しているため、シーケンシャル媒体６の使用効率、運用効率を向上できると共に格納に必要なシーケンシャル媒体６の効率的な準備を実現できる。
【図面の簡単な説明】
【図１】本発明のシステム構成図である。
【図２】本発明の動作説明フローチャート（その１）である。
【図３】本発明の動作説明フローチャート（その２）である。
【図４】本発明の説明図（管理情報）である。
【図５】本発明の説明図（アクセス要求）である。
【図６】本発明の説明図（表示例）である。
【図７】本発明の説明図（セキュリティレベル）である。
【図８】本発明の説明図（画面、その１）である。
【図９】本発明の説明図（画面、その２）である。
【図１０】本発明の説明図（画面、その３）である。
【図１１】本発明の説明図（画面、その４）である。
【図１２】本発明の動作説明フローチャート（使用率算出）である。
【符号の説明】
１：処理装置
２：使用状況管理手段
３：管理ファイル
４：出力ファイル
５：シーケンシャルアクセス装置
６：シーケンシャルアクセス媒体（媒体）
８：表示装置
９：入力装置
【図１】
0004094160.tif 000012
【図２】
0004094160.tif 000013
【図３】
0004094160.tif 000014
【図４】
0004094160.tif 000015
【図５】
0004094160.tif 000016
【図６】
0004094160.tif 000017
【図７】
0004094160.tif 000018
【図８】
0004094160.tif 000019
【図９】
0004094160.tif 000020
【図１０】
0004094160.tif 000021
【図１１】
0004094160.tif 000022
【図１２】
0004094160.tif 000023